(57)【要約】【課題】マークの配置位置に依存せずに、表示パネルの形状を決定する、換言すれば、表示パネルの形状に依存せずに、マークの配置位置を決定することができる車両用表示装置を提供する。【解決手段】マークが形成された表示板と、画素若しくはセグメントが形成された表示パネルと、該表示パネルに光を照射する光源と、表示パネルの画素毎若しくはセグメント毎に光の透過率を制御する制御部と、を備える車両用表示装置であって、表示板と表示パネルは、表示パネルから出射される光が表示板のマークに照射されるように、光の出射方向に沿って並んで配置されており、制御部は、マークを点灯表示する場合に、光の出射方向に沿ってマークと並んで配置された画素若しくはセグメントの透過率を、マークを消灯表示する場合と比べて高める。【選択図】図１
2011107038.tif 000002
【特許請求の範囲】
【請求項１】
マークが形成された表示板と、
画素若しくはセグメントが形成された表示パネルと、
該表示パネルに光を照射する光源と、
前記表示パネルの画素毎若しくはセグメント毎に光の透過率を制御する制御部と、を備える車両用表示装置であって、
前記表示板と前記表示パネルは、前記表示パネルから出射される光が前記表示板のマークに照射されるように、光の出射方向に沿って並んで配置されており、
前記制御部は、前記マークを点灯表示する場合に、光の出射方向に沿って前記マークと並んで配置された画素若しくはセグメントの透過率を、前記マークを消灯表示する場合と比べて高めることを特徴とする車両用表示装置。
【請求項２】
前記表示パネルから出射される光を前記マークに導光する第１導光体が、前記表示パネルと前記マークとの間に配置されていることを特徴とする請求項１に記載の車両用表示装置。
【請求項３】
前記表示パネルから出射された光をカラー表示するためのカラーフィルタを有することを特徴とする請求項１又は請求項２に記載の車両用表示装置。
【請求項４】
前記光源から照射される光を前記表示パネルに導光する第２導光体を有することを特徴とする請求項１〜３いずれか１項に記載の車両用表示装置。
【発明の詳細な説明】
【技術分野】
【０００１】
本発明は、マークが形成された表示板と、画素若しくはセグメントが形成された表示パネルと、該表示パネルに光を照射する光源と、表示パネルの画素毎若しくはセグメント毎に光の透過率を制御する制御部と、を備える車両用表示装置に関するものである。
【背景技術】
【０００２】
従来、例えば特許文献１に示されるように、車両状態に応じて点灯表示する表示灯、及び、数値や文字が表示可能な表示部を複数有する表示器（表示パネル）を備えた表示装置が提案されている。表示灯は、表示板に形成されたマーク（絵文字、図案、記号等）と、該マークを点灯するためのインジケータ灯とから構成される。
【先行技術文献】
【特許文献】
【０００３】
【特許文献１】特開２００９−６３５１７号公報
【発明の概要】
【発明が解決しようとする課題】
【０００４】
ところで、特許文献１に示される表示装置では、インジケータ灯から照射される光が遮られるために、マークとインジケータ灯との間に表示パネルを配置することができなかった。そのため、表示パネルの形状はマーク（インジケータ灯）の配置位置に依存せざるを得ず、表示パネルの形状を、マークの配置位置に依存せずに決定することができない、という問題があった。逆に言えば、マークの配置位置は表示パネルの形状に依存せざるを得ず、マークの配置位置を、表示パネルの形状に依存せずに決定することができない、という問題があった。
【０００５】
更に言えば、通常、表示パネルは液晶パネルによって形成され、その液晶パネルは、通常、矩形状に形成される。したがって、上記したように、マークの配置位置に応じて、液晶パネルの形状を、矩形状から、該矩形状とは異なる形状に加工する場合、その加工費が嵩み、汎用性が低下する、という問題が生じる。
【０００６】
そこで、本発明は上記問題点に鑑み、マークの配置位置に依存せずに、表示パネルの形状を決定する、換言すれば、表示パネルの形状に依存せずに、マークの配置位置を決定することができる車両用表示装置を提供することを目的とする。
【課題を解決するための手段】
【０００７】
上記した目的を達成するために、請求項１に記載の発明は、マークが形成された表示板と、画素若しくはセグメントが形成された表示パネルと、該表示パネルに光を照射する光源と、表示パネルの画素毎若しくはセグメント毎に光の透過率を制御する制御部と、を備える車両用表示装置であって、表示板と表示パネルは、表示パネルから出射される光が表示板のマークに照射されるように、光の出射方向に沿って並んで配置されており、制御部は、マークを点灯表示する場合に、光の出射方向に沿ってマークと並んで配置された画素若しくはセグメントの透過率を、マークを消灯表示する場合と比べて高めることを特徴とする。
【０００８】
このように本発明によれば、画像表示モジュールに設けられた光源によって、表示板のマークを点灯表示する構成となっている。これによれば、マークの配置位置に応じて、画像表示モジュールの形状を決定しなくとも良い。すなわち、マークの配置位置に依存せずに、画像表示モジュールの形状を決定することができる。換言すれば、画像表示モジュールの形状に応じて、マークの配置位置を決定しなくとも良い。すなわち、画像表示モジュールの形状に依存せずに、マークの配置位置を決定することができる。
【０００９】
更に言えば、表示パネルの形状を、マークの配置位置に依存して形成しなくとも良いので、表示パネルの加工費の増大、及び、表示パネルの汎用性の低下が抑制される。
【００１０】
請求項２に記載のように、表示パネルから出射される光をマークに導光する第１導光体が、表示パネルとマークとの間に配置された構成が好適である。これによれば、マークに照射される光の量が増大されるので、運転者がマークを視認し易くなる。
【００１１】
請求項３に記載のように、表示パネルから出射された光をカラー表示するためのカラーフィルタを有する構成が好ましい。これによれば、マークの点灯表示に適した色の光を、マークに照射することができる。
【００１２】
請求項４に記載のように、光源から照射される光を表示パネルに導光する第２導光体を有する構成が良い。これによれば、光源から照射される光の照射方向を第２導光体によって調整することができるので、光源の数を低減することができる。
【図面の簡単な説明】
【００１３】
【図１】コンビネーションメータの概略構成を示す正面図である。
【図２】図１のＩＩ−ＩＩ線に沿う断面図である。
【図３】図１のＩＩＩ−ＩＩＩ線に沿う断面図である。
【図４】図１のＩＶ−ＩＶ線に沿う断面図である。
【図５】第２支持部の変形例を示す断面図である。
【発明を実施するための形態】
【００１４】
以下、本発明に係る車両用表示装置を、自動車のコンビネーションメータに具現化した場合を例として、実施の形態を図に基づいて説明する。
（第１実施形態）
図１は、コンビネーションメータの概略構成を示す正面図である。図２は、図１のＩＩ−ＩＩ線に沿う断面図である。図３は、図１のＩＩＩ−ＩＩＩ線に沿う断面図である。図４は、図１のＩＶ−ＩＶ線に沿う断面図である。
【００１５】
先ず、コンビネーションメータ１００を概説する。本実施形態に係るコンビネーションメータ１００は、図１に示すように、矩形状の表示領域を有する。この表示領域の中央に、矩形状の画像表示モジュール３０が配置され、その画像表示モジュール３０の左右に、指針を備えたメータ２０が配置されている。メータ２０は、スピードメータ２１とタコメータ２２とから構成され、図３及び図４に示すように、各メータ２１，２２の構成要素である文字盤２３の一部と画像表示モジュール３０の一部とが、画像表示モジュール３０から出射される光の出射方向（文字盤２３に対して垂直な方向であり、以下、単に出射方向と示す）で重なっている。
【００１６】
文字盤２３、及び、該文字盤２３が備え付けられる表示板１０には、インジケータ５０の構成要素であるマーク５１が設けられている。マーク５１ａは、表示板１０に設けられ、マーク５１ｂは、スピードメータ２１の文字盤２３に設けられ、マーク５１ｃは、タコメータ２２の文字盤２３に設けられている。より具体的に説明すれば、図２〜図４に示すように、マーク５１ａは、表示板１０における、出射方向において画像表示モジュール３０と重なる部位に設けられ、マーク５１ｂは、スピードメータ２１の文字盤２３における、出射方向において画像表示モジュール３０と重なる部位に設けられ、マーク５１ｃは、タコメータ２２の文字盤２３における、出射方向において画像表示モジュール３０と重ならない部位に設けられている。マーク５１ａ，５１ｂは、画像表示モジュール３０から出射された光（画像表示モジュール３０の光源が照射した光）によって点灯表示され、マーク５１ｃは、光源５２が照射した光によって点灯表示される。
【００１７】
以下、コンビネーションメータ１００を構成する各部位を説明する。表示板１０には、図１に示すように、スピードメータ２１及びタコメータ２２それぞれの文字盤２３と、インジケータ５０の構成要素であるマーク５１ａとが設けられている。表示板１０の形状は、図２〜図４に示すように、画像表示モジュール３０や、マーク５１ｃに光を照射する光源５２の配置位置に応じて、決定される。表示板１０は、第１支持部材１１を介して、ベース基板１２に固定されている。本実施形態に係る第１支持部材１１は、光を反射する材料から成る。これにより、第１支持部材１１がリフレクタとしての機能を奏し、画像表示モジュール３０から出射された光や光源５２から照射された光が第１支持部材１１によって吸収され、マーク５１ａ，５１ｃに照射される光の量が低減されることが抑制される。なお、ベース基板１２には、画像表示モジュール３０や光源５２が設けられる。
【００１８】
メータ２０は、スピードメータ２１及びタコメータ２２を有する。スピードメータ２１及びタコメータ２２それぞれは、図１，図３，及び図４に示すように、文字盤２３と、該文字盤２３の縁に設けられたリング２４と、文字盤２３をベース基板１２に支持する第２支持部材２５と、を有する。第２支持部材２５は、第１支持部材１１と同様に、光を反射する材料から成る。これにより、第２支持部材２５がリフレクタとしての機能を奏し、画像表示モジュール３０から出射された光、若しくは光源５２から照射された光が第２支持部材２５で吸収され、マーク５１ａ〜５１ｃに照射される光の量が低減することが抑制される。
【００１９】
図３及び図４に示すように、本実施形態では、スピードメータ２１の文字盤２３にマーク５１ｂが設けられ、タコメータ２２の文字盤２３にマーク５１ｃが設けられている。そして、画像表示モジュール３０の光出射面３０ａに、画像表示モジュール３０から照射される光をマーク５１ｂに導光する導光体５３が設けられている。この導光体５３が、特許請求の範囲に記載の第１導光体に相当する。なお、文字盤２３は、特許請求の範囲に記載の表示板に含まれる。
【００２０】
なお、図４に示した、第２支持部材２５における、光源５２から照射された光を反射する部位２５ａの形状としては、例えば図５に示す形状を採用することもできる。図４では、光源５２の周囲に、第１支持部材１１と第２支持部材２５とが配置され、図５では、光源５２の周囲に第２支持部材２５が配置されている。図４及び図５に示す第２支持部材２５それぞれは、紙面に対して天地が逆転した逆Ｌ字状を成し、上記した部位２５ａの一部が、逆Ｌ字状をなす２本の部材のうちの１つを成す。図４に示す部位２５ａの形状は、図３に示す、第２支持部材２５における、画像表示モジュール３０から照射された光を反射する部位２５ｂの形状と等しくなっている。これに対して、図５に示す部位２５ａの形状は、図３に示す部位２５ｂの形状と異なる。図５に示す部位２５ａの出射方向に沿う長さは、図４に示す部位２５ａと図３に示す画像表示モジュール３０それぞれの出射方向に沿う長さを足し合わせた長さと同程度になっている。
【００２１】
図４及び図５に示すいずれの構成を採用した場合においても、光源５２から照射された光が支持部材で反射されて、その反射された光をマーク５１ｃに照射することができる。しかしながら、上記したように、図５に示す部位２５ａの形状は、図３に示す部位２５ｂの形状とは異なる。このため、図５に示す第２支持部材２５の形状を採用した場合、本実施形態で示した第２支持部材２５と比べて、その形状が複雑化する。したがって、第２支持部材２５としては、本実施形態で示したように、部位２５ａと部位２５ｂそれぞれの形状が等しい形状が好ましい。図５は、第２支持部の変形例を示す断面図である。
【００２２】
画像表示モジュール３０は、車両状態を表示するものである。画像表示モジュール３０は、図示しないが、主として、車両状態を表示する表示パネルと、該表示パネルに表示される画像を制御する制御部と、表示パネルに光を照射する光源と、を有する。本実施形態に係る画像表示モジュール３０は、図示しないが、表示パネルの画像をカラー表示するためのカラーフィルタと、光源から出射された光を表示パネルに導光する導光板と、表示パネル、制御部、光源、カラーフィルタ、及び導光板を収容するケースと、を有する。表示パネルは、導光板によって導光された光源の光が照射され、且つ表示パネルから出射された光がカラーフィルタに照射されるように、導光板から出射された光の出射方向（上記した出射方向に沿う方向）において、導光板とカラーフィルタとの間に配置されている。なお、導光板が、特許請求の範囲に記載の第２導光体に相当する。
【００２３】
表示パネルは、ドットマトリックス方式によって画像を表示する液晶パネルである。この表示パネルを構成する各画素に印加される電圧を制御部によって制御することで、各画素の光の透過率が制御される。表示パネルを透過した光には画素毎に輝度差が形成され、その結果、表示パネルを透過した光に車両情報が含まれる。その車両情報を含む光が、運転者に照射される。なお、表示パネルには、上記した車両情報として、ターン状態を示す矢印や、総走行距離を示すＯＤＯや、区間走行距離を示すＴＲＩＰや、シフトポジションを示すＲ，Ｎ，Ｄ，Ｐなどの各種画像が表示される。
【００２４】
上記した光源は、白色光を照射するものである。カラーフィルタは、白色光の内、可視光領域の代表的な波長領域の光（赤色光、緑色光、青色光）を選択的に透過するものである。カラーフィルタは、表示パネルにおける光が出射される面に配置されており、表示パネルから出射される光がカラーフィルタを介すことで、表示パネルの画像がカラー表示される。
【００２５】
インジケータ５０は、車両の作動状態や異常状態を表示するものであり、マーク５１と、マーク５１を点灯するための光源とから構成される。図２〜図４に示すように、マーク５１ａ，５１ｂそれぞれは、出射方向に沿って、画像表示モジュール３０と並んで配置されており、マーク５１ｃは、出射方向に沿って、光源５２と並んで配置されている。マーク５１ａ，５１ｂは、画像表示モジュール３０の光源によって点灯表示され、マーク５１ｃは、光源５２によって、点灯表示される。マーク５１ｃを点灯表示する場合、光源５２から光を照射すればよいが、マーク５１ａ，５１ｂを点灯表示する場合、マーク５１ｃを点灯表示する場合とは異なる。マーク５１ａ，５１ｂを点灯表示する場合、出射方向において、マーク５１ａ，５１ｂと対応する画像表示モジュール３０の表示パネルの画素の透過率を制御部によって高めることで、画像表示モジュール３０の光源から照射される光を、マーク５１ａ，５１ｂに照射する。これとは反対に、マーク５１ａ，５１ｂを消灯表示する場合、マーク５１ａ，５１ｂに対応する画像表示モジュール３０の表示パネルの画素の透過率を制御部によって低くすることで、画像表示モジュール３０の光源から照射される光がマーク５１ａ，５１ｂに照射されることを防止する。なお、マーク５１ａ，５１ｂそれぞれに光を照射する画像表示モジュール３０の光源は、表示パネルに車両情報を常に表示する必要があるために、常時発光している。なお、マーク５１ｃを点灯表示する光源５２は、緑色光を発光する光源である。
【００２６】
次に、本実施形態に係るコンビネーションメータ１００の作用効果を説明する。上記したようにコンビネーションメータ１００は、画像表示モジュール３０に設けられた光源によって、マーク５１ａ，５１ｂを点灯表示する構成となっている。これによれば、マーク５１の配置位置に応じて、画像表示モジュール３０の形状を決定しなくとも良い。すなわち、マーク５１の配置位置に依存せずに、画像表示モジュール３０の形状を決定することができる。換言すれば、画像表示モジュール３０の形状に応じて、マーク５１の配置位置を決定しなくとも良い。すなわち、画像表示モジュール３０の形状に依存せずに、マーク５１の配置位置を決定することができる。
【００２７】
更に言えば、表示パネル（液晶パネル）の形状を、マーク５１の配置位置に依存して形成しなくとも良いので、表示パネルの加工費の増大、及び、表示パネルの汎用性の低下が抑制される。
【００２８】
上記したように、コンビネーションメータ１００では、画像表示モジュール３０の光源によって、マーク５１ａ，５１ｂが点灯表示される。したがって、本実施形態で示したコンビネーションメータ１００は、画像表示モジュールの一部とメータの一部とが重なり、且つ、全てのマークが、マーク専用の光源によって点灯表示されるコンビネーションメータと比べて、マークを点灯する光源の数が低減される。これにより、コストが低減される。
【００２９】
本実施形態では、画像表示モジュール３０と、マーク５１ｂとの間に、導光体５３が設けられている。これによれば、マーク５１ｂに照射される光の量が増大されるので、運転者がマーク５１ｂを視認しやすくなる。
【００３０】
画像表示モジュール３０は、カラーフィルタを有し、マーク５１ａ，５１ｂは、画像表示モジュール３０の光源によって点灯表示される。これによれば、マーク５１ａ，５１ｂの点灯表示に適した色の光を、マーク５１ａ，５１ｂそれぞれに照射することができる。
【００３１】
画像表示モジュール３０は、光源から出射された光を表示パネルに導光する導光板を有する。これによれば、画像表示モジュール３０の光源から照射される光の照射方向を導光板によって調整することができるので、光源の数を低減することができる。
【００３２】
以上、本発明の好ましい実施形態について説明したが、本発明は上記した実施形態になんら制限されることなく、本発明の主旨を逸脱しない範囲において、種々変形して実施することが可能である。
【００３３】
なお、本実施形態では、表示パネルが、ドットマトリックス方式によって画像を表示する例を示した。しかしながら、表示パネルが、セグメント方式によって画像を表示しても良い。
【００３４】
本実施形態では、第１支持部材１１及び第２支持部材２５は、光を反射する材料から成り、それぞれの支持部材１１，２５が、リフレクタとしての機能を奏する例を示した。しかしながら、各支持部材１１，２５それぞれを、光を吸収する材料から成し、支持部材１１，２５それぞれの表面に、リフレクタとしての機能を奏する反射板が設けられた構成を採用することもできる。
【符号の説明】
【００３５】
１０・・・表示板
２３・・・文字盤
３０・・・画像表示モジュール
５０・・・インジケータ
５１・・・マーク
５２・・・光源
５３・・・導光体
１００・・・コンビネーションメータ
【図１】
2011107038.tif 000003
【図２】
2011107038.tif 000004
【図３】
2011107038.tif 000005
【図４】
2011107038.tif 000006
【図５】
2011107038.tif 000007